(57)【特許請求の範囲】
【請求項１】
ガイド部材に沿って前後進可能な可動プレートと、
前記可動プレートに対向して設けられたリアプレートと、
ボールネジナットと、ボールネジ軸とからなるボールネジと、
連結部材を介して前記ボールネジ軸を駆動する駆動用モータと、
前記駆動用モータが固定されるモータ固定部材と、を備え、
前記可動プレートに前記ボールネジナットが固着され、
前記リアプレートに前記ボールネジ軸が回転自在で軸方向に移動不能に支持され、
前記モータ固定部材は、前記リアプレートに対して相対位置調整可能に配置された射出成形機の駆動機構であって、
前記リアプレートと前記モータ固定部材との相対位置を調整可能な位置調整部を備え、
前記位置調整部は、
前記モータ固定部材又は前記モータ固定部材から延びる延長部材の少なくとも一方を貫通し、ネジ山を備えるネジ穴と、
該ネジ穴の該ネジ山に螺合するボルトと、
該ボルトが突き当てられる突き当て部と、を備え、
前記ネジ穴を水平方向と鉛直方向とに設け、
水平方向のネジ穴に螺合するボルトが突き当てられる突き当て部を前記リアプレートに設け、
鉛直方向のネジ穴に螺合するボルトが突き当てられる突き当て部を前記モータ固定部材又は前記モータ固定部材から延びる延長部材を支持するモータ固定部材用支持部材に設けた
ことを特徴とする射出成形機の駆動機構。
【請求項２】
前記水平方向の突き当て部を、前記リアプレートのベアリング支持部に設けたことを特徴とする請求項１記載の射出成形機の駆動機構。
【発明の詳細な説明】
【技術分野】
【０００１】
本発明は、射出成形機の駆動機構に関し、特にボールネジ軸とモータシャフトの軸心との調整機能を備えた射出成形機の駆動機構に関する。
【背景技術】
【０００２】
図４及び図５は従来の射出成形機の構成を示した図であり、図４は上方から見た平面図、図５は側方から見た正面図である。１は可動プレートであり、ガイド部材２に支持されて軸方向に移動可能である。３はボールネジナットであり、可動プレート１に回転不能に固着されている。４はボールネジ軸であり、ボールネジナット３と螺合している。５はリアプレートであり、ボールネジ軸４を支持している。リアプレート５とボールネジ軸４との間にはベアリング２１がはさんで支持されており、ボールネジ軸４は回転可能で、前後方向に移動不可にリアプレート５に固定されている。これにより、ボールネジ軸４を回転させることによって、ボールネジナット３が軸方向に移動可能とされており、ボールネジナット３が移動することに伴い、ボールネジナット３が固定されている可動プレート１も移動可能となる。
【０００３】
８はボールネジ軸４を駆動する駆動用モータであり、リアプレート５に固定されている。６は連結部材であり、駆動用モータ８のシャフトとボールネジ軸４とを結合しており、駆動用モータ８のトルクをボールネジ軸４に伝達可能としている。
【０００４】
特許文献１には、インラインスクリュ式の電動射出成形機において、プッシャプレートの後面に一対の射出用電動機がブラケットでそれぞれ取り付けられ、出力軸を各ボールねじ軸の後端にカップリングで直結する技術が開示されている。
特許文献２には、射出装置においてスクリュー軸芯に対して駆動軸芯を合わせる技術が開示されている。
【先行技術文献】
【特許文献】
【０００５】
【特許文献１】特開平１１−１３８５９９号公報
【特許文献２】特開２０１３−９８４号公報
【発明の概要】
【発明が解決しようとする課題】
【０００６】
射出成形機のボールネジ駆動機構において、ボールネジ軸とボールネジ駆動用モータのシャフトを連結部材を介して結合する場合、ボールネジ軸とモータシャフトの軸芯を一致させるようにすることが好ましい。そのためには、モータ固定部とボールネジ軸固定部の加工の精度を上げる必要がある。しかしながら、加工の精度を上げたとしても、各部材を取り付けるためにはわずかな隙間を設ける必要があり、その隙間によって軸芯がずれてしまうおそれがある。
【０００７】
特許文献１に開示されている技術は、駆動用モータがブラケットを介してリアプレートに固定されているが、ブラケットの固定方法やボールネジ軸とモータシャフトの軸芯を一致させる調整機構については開示されていない。
【０００８】
特許文献２に開示されている技術は、スクリュー軸芯に対して駆動軸芯を合わせる機構として、調整機構についての記載はされているが、調整機構の構成については調整用凹部内で調整凸部が移動可能な構成とすると記載されているのみで、調整凸部の移動方法が不明で、わずかな軸芯のズレを調整する具体的な構成については開示されていない。
【０００９】
そこで本発明は、射出成形機の駆動機構において、ボールネジ軸とモータシャフトの軸芯を簡単な構成で、かつ適切に合わせることを可能とすることを目的とする。
【課題を解決するための手段】
【００１０】
本願の請求項１に係る発明では、ガイド部材に沿って前後進可能な可動プレートと、前記可動プレートに対向して設けられたリアプレートと、ボールネジナットと、ボールネジ軸とからなるボールネジと、連結部材を介して前記ボールネジ軸を駆動する駆動用モータと、前記駆動用モータが固定されるモータ固定部材と、を備え、前記可動プレートに前記ボールネジナットが固着され、前記リアプレートに前記ボールネジ軸が回転自在で軸方向に移動不能に支持され、前記モータ固定部材は、前記リアプレートに対して相対位置調整可能に配置された射出成形機の駆動機構であって、前記リアプレートと前記モータ固定部材との相対位置を調整可能な位置調整部を備え、前記位置調整部は、前記モータ固定部材又は前記モータ固定部材から延びる延長部材の少なくとも一方を貫通し、ネジ山を備えるネジ穴と、該ネジ穴の該ネジ山に螺合するボルトと、該ボルトが突き当てられる突き当て部と、を備え、水平方向のネジ穴に螺合するボルトが突き当てられる前記突き当て部を前記リアプレートに設け、鉛直方向のネジ穴に螺合するボルトが突き当てられる前記突き当て部を前記モータ固定部材又は前記モータ固定部材から延びる延長部材を支持するモータ固定部材用支持部材に設けたことを特徴とする射出成形機の駆動機構が提供される。
【００１１】
請求項１に係る発明では、モータ固定部材を貫通して、ネジ山を備えるネジ穴と、このネジ山に螺合するボルトと、ボルトが突き当てられる突き当て部を備えて、リアプレートとモータ固定部材との相対位置を調整可能とすることによって、簡単な構成でリアプレートとモータ固定部材との相対位置を調整可能とすることができる。
また、位置調整部の突き当て部をリアプレートやモータ固定部材用支持部材、モータ固定部材から延びる延長部材を支持するモータ固定部材支持部材に設けることによって、水平方向と鉛直方向の双方から位置調整部を突き当て部に突き当てて、安定して確実にリアプレートとモータ固定部材との相対位置を調整可能とすることができる。
【００１２】
本願の請求項２に係る発明では、前記水平方向の突き当て部を、前記リアプレートのベアリング支持部に設けたことを特徴とする請求項１記載の射出成形機の駆動機構が提供される。
請求項２に係る発明では、水平方向の位置調整部の突き当て部をリアプレートのベアリング支持部に設けることによって、確実にリアプレートとモータ固定部材との相対位置を調整可能とすることができる。
【発明の効果】
【００１４】
本発明により、射出成形機の駆動機構において、簡単な構成でボールネジ軸とモータシャフトの軸芯を合わせることが可能となる。
【図面の簡単な説明】
【００１５】
【図１】本発明の第１の実施形態の射出成形機を上方から見た平面図である。
【図２】本発明の第１の実施形態の射出成形機を側方から見た正面図である。
【図３】本発明の第２の実施形態の射出成形機を側方から見た正面図である。
【図４】従来の射出成形機を上方から見た平面図である。
【図５】従来の射出成形機を側方から見た正面図である。
【発明を実施するための形態】
【００１６】
（第１の実施形態）
図１及び図２は本発明の第１の実施形態の射出成形機の構成を示した図であり、図１は上方から見た平面図、図２は側方から見た正面図である。従来技術と同様の構成については、同じ符号を付して説明は省略する。９（９ａ，９ｂ，９ｃ）はモータ固定部材７に設けられ、モータ固定部材７を貫通するように設けられたネジ穴である。それぞれのネジ穴９の内壁面には図示しないネジ山が備えられている。ネジ穴９ａには第１のボルト１０が、ネジ穴９ｂには第２のボルト１１が、それぞれのネジ穴９の内壁面のネジ山と螺合している。
【００１７】
ネジ穴９ａに螺合した第１のボルト１０の先端はリアプレート５の外壁面において突き当てられて突き当て部１５ａを形成している。また、ネジ穴９ｂに螺合した第２のボルト１１の先端は、リアプレート５の外壁面に対向しているものの、リアプレート５とは非接触状態となるように設置されている。これにより、モータ固定部材７は第１のボルト１０による押圧により、第２のボルト１１と接触するまでの区間において水平方向に移動可能とされている。なお、図１においては第１のボルト１０の先端はリアプレート５の外壁面において突き当てられて突き当て部１５ａを形成しているが、リアプレート５の、第１のボルト１０との接触箇所に別途突き当て部材を設けて突き当て部１５ａを形成し、その突き当て部材において第１のボルト１０が突き当てられるように構成することも可能である。
【００１８】
図２に示されているように、ネジ穴９ｃには第３のボルト１２が、ネジ穴９ｂの内壁面のネジ山と螺合して設けられている。１４は、リアプレート５とは別の部材である、モータ固定部材７を支持するためのモータ固定部材用支持部材である。第３のボルト１２の先端は、モータ固定部材用支持部材１４において突き当てられて突き当て部１５ｃを形成している。これにより、モータ固定部材７は第３のボルト１２による押圧により、鉛直方向に移動可能とされている。なお、図２においては第３のボルト１２の先端はモータ固定部材用支持部材１４の外壁面において突き当てられて突き当て部１５ｃを形成しているが、モータ固定部材用支持部材１４の、第３のボルト１２との接触箇所に別途突き当て部材を設けて突き当て部１５ｃを形成し、その突き当て部材において第３のボルト１２が突き当てられるように構成することも可能である。
【００１９】
（第２の実施形態）
図３は、本発明の第２の実施形態の射出成形機の構成を示しており、側方から見た正面図である。第１の実施形態との相違点は、モータ固定部材７から延長された、モータ固定部材７と一体の延長部材１６を設け、延長部材１６を貫通するようにネジ穴９ｄが設けられている。ネジ穴９ｄの内壁面に設けられた図示しないネジ山と螺合して第４のボルト１３が設けられている。
【００２０】
ネジ穴９ｄに螺合した第４のボルト１３の先端はリアプレート５の外壁面において突き当てられて突き当て部１５ｄを形成している。これにより、モータ固定部材７は第４のボルト１３による押圧により鉛直方向に移動可能とされている。なお、図３においては第４のボルト１３の先端はリアプレート５の外壁面において突き当てられて突き当て部１５ｄを形成しているが、リアプレート５の、第４のボルト１３との接触箇所に別途突き当て部材を設けて突き当て部１５ｄを形成し、その突き当て部材において第４のボルト１３が突き当てられるように構成することも可能である。
【００２１】
なお、本実施形態における延長部材１６は、モータ固定部材７から延長された、モータ固定部材７と一体の部材とされているが、必ずしも一体でなくてもよく、別部材をモータ固定部材７にボルト等で固着して構成することも可能である。また、本実施形態における延長部材１６の形状は一実施形態にすぎず、図３に示された例に限定されるものではない。さらに、図３に示された例では、モータ固定部材７に設けられた延長部材は１つの部材であるが、２つ以上の延長部材を設けて異なる方向に対して位置調整ができるように構成することも可能である。
【符号の説明】
【００２２】
１    可動プレート
２    ガイド部材
３    ボールネジナット
４    ボールネジ軸
５    リアプレート
６    連結部材
７    モータ固定部材
８    駆動用モータ
９    ネジ穴
１０  第１のボルト
１１  第２のボルト
１２  第３のボルト
１３  第４のボルト
１４  モータ固定部材用支持部材
１５  突き当て部
１６  延長部材
２１  ベアリング
【要約】
【課題】射出成形機の駆動機構において、簡単な構成でボールネジ軸とモータシャフトの軸芯を合わせることを可能とする。
【解決手段】射出成形機の駆動機構において、リアプレートとモータ固定部材との相対位置を調整可能な位置調整部を備え、位置調整部は、モータ固定部材かモータ固定部材から延びる延長部材の少なくとも一方を貫通し、ネジ山を備えるネジ穴と、ネジ穴のネジ山に螺合するボルトと、ボルトが突き当てられる突き当て部とを備える。これにおり、簡単な構成で簡単な構成でリアプレートとモータ固定部材との相対位置を調整可能とすることができる。
【選択図】図１【図１】
0005908556.tif 000002
【図２】
0005908556.tif 000003
【図３】
0005908556.tif 000004
【図４】
0005908556.tif 000005
【図５】
0005908556.tif 000006